(57)【要約】【課題】  複数の画像形成モードを持つ画像形成システムで、ＰＤＬ画像を出力する際、それぞれのプリント条件において、画像形成モードを切り替えることにより、最適のパフォーマンスを得ることのできる画像形成システムの制御方法を提供する。【解決手段】  画像制御装置と、画像出力装置とを組み合わせて構成される画像形成システムであって、前記画像制御装置と前記画像出力装置とは通信手段によって接続され、前記画像出力装置は、画像形成モードを複数有し、ホストコンピュータには画像形成モード指定手段をもち、ＰＤＬデータ作成とともに、前記画像形成モード指定手段により画像形成モード指定情報を送信し、画像制御装置は、前記画像形成モード指定情報と出力条件から画像形成モードを決定する画像モード決定手段を有し、前記画像モード決定手段によって画像形成モードを切り替え、最適のパフォーマンスが得られることを特徴とする。【選択図】        図１
2006195723.tif 000002
【特許請求の範囲】
【請求項１】
画像制御装置と、画像出力装置とを組み合わせて構成される画像形成システムであって、前記画像制御装置と前記画像出力装置とは通信手段によって接続され、前記画像出力装置は、画像形成モードを複数有し、ホストコンピュータには画像形成モード指定手段をもち、ＰＤＬデータ作成とともに、前記画像形成モード指定手段により画像形成モード指定情報を送信し、画像制御装置は、前記画像形成モード指定情報と出力条件から画像形成モードを決定する画像モード決定手段を有し、前記画像モード決定手段によって画像形成モードを切り替え、最適のパフォーマンスが得られることを特徴とする画像形成システムの制御方法。
【請求項２】
請求項１に記載の画像形成システムの制御方法おいて、画像出力装置は１ドラム構成のカラープリンタであることを特徴とする画像形成システムの制御方法。
【発明の詳細な説明】
【技術分野】
【０００１】
本発明は、コピー、プリンタ、ファックスなどの画像形成システムの制御方法に関するもので、特にカラー画像出力可能な画像形成装置に特有な、条件に応じて動作切り替えが必要な装置の制御方法に関するものである。
【背景技術】
【０００２】
カラーの画像形成システムには、ハイエンドの高速４ドラムプリンタから、ローエンドのコストを抑えた１ドラムプリンタまで多数存在し、それぞれに画像形成のための制御が異なる。この中の特徴的なものの１つに、１ドラムカラープリンタがある。１ドラムカラープリンタにはドラムの外周に対して１ページの画像サイズが半分以下の場合に、ドラム上に２ページ分の画像を同時に形成する制御が存在する（例えば、特許文献１参照。）。この制御を２枚貼りと呼ぶ。２枚貼りを行うことにより、パフォーマンスの向上がはかれる。従来、２枚貼りを行えるサイズの時には最初から常に２枚貼りでの動作を行っていた。
【特許文献１】特開平０８−１９４３９０号公報
【発明の開示】
【発明が解決しようとする課題】
【０００３】
しかしながら、２枚貼りの制御をすることによって、ファーストプリントアウトタイムが長くなってしまう。また、条件によっては最初から２枚貼りを行うことが効果的でない場合もある。例をあげて説明する。図８，図９はそれぞれ２枚出力時、３枚出力時における１枚貼り（２枚貼りに対し、ドラム上に１ページ分の画像を形成する制御を１枚貼りと呼ぶ）、２枚貼りの組み合わせにより動作する状況を示す図である。カラー画像形成システムでは画像転送準備が終了することによってプリント動作を開始することになる。また、１枚貼り、２枚貼りともに４色分のデータを載せるため、それぞれにかかる時間は同じである。図８にある２枚の出力を行う場合では、（２）のように２枚目の画像転送準備完了を待ち、最初から２枚貼りを行うことによって、全体のパフォーマンスがあがる。しかし、図９にある３枚の出力を行う場合、（２）のように２枚貼り、１枚貼りの順番で出力を行うと、最初の２枚貼りをするために２枚の画像転送準備が終了するのを待たなければならず、全体としてパフォーマンスは落ち、さらにファーストプリントアウトタイムまで長くなってしまう。
【０００４】
本発明は、上述の問題点に着目してなされたものであって、複数の画像形成モードを持つ画像形成システムで、ＰＤＬ画像を出力する際、それぞれのプリント条件において、画像形成モードを切り替えることにより、最適のパフォーマンスを得ることのできる画像形成システムの制御方法を提供することを目的とする。
【課題を解決するための手段】
【０００５】
本発明では、前述の課題を解決するために、画像制御装置と、画像出力装置とを組み合わせて構成される画像形成システムであって、前記画像制御装置と前記画像出力装置とは通信手段によって接続され、前記画像出力装置は、画像形成モードを複数有し、ホストコンピュータには画像形成モード指定手段をもち、ＰＤＬデータ作成とともに、前記画像形成モード指定手段により画像形成モード指定情報を送信し、画像制御装置は、前記画像形成モード指定情報と出力条件から画像形成モードを決定する画像モード決定手段を有し、前記画像モード決定手段によって画像形成モードを切り替えて、最適のパフォーマンスが得られることを特徴とする。
【発明の効果】
【０００６】
ＰＣ上にインストールされているのドライバソフトウェアが２枚貼りの指定を行い、その通知を制御装置１１０が受け取り、その他の条件とともに判断することにより、最初から２枚貼りをする制御、最初は１枚貼りにする制御、を切り替えることできる。これにより、それぞれの条件で最適のパフォーマンスを得ることができ、また、ファーストプリントアウトタイムも最適になる。
【発明を実施するための最良の形態】
【０００７】
以下本発明を実施するための最良の形態を、実施例により詳しく説明する。
【実施例】
【０００８】
まず、本発明の実施例にかかわる画像形成システムの全体構成を、図１を参照しながら説明する。リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成され、スキャナユニット内に存在するスキャナコントローラが制御を行う。プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成され、マーキングユニット内に存在するプリンタコントローラがこれらの制御を行う。
【０００９】
制御装置（コントローラ）１１０は、リーダー部２００、プリンタ部３００と電気的に接続され、さらにネットワーク４００を介して、ホストコンピュータ４０１，４０２と接続されている。制御装置１１０は、リーダー部２００を制御して、原稿の画像データを読込み、プリンタ部３００を制御して画像データを記録用紙に出力してコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１０】
操作部１５０は、もうひとつのユーザ設定入力手段であり、制御装置１１０に接続され、液晶タッチパネルで構成され、画像印字装置を操作するためのユーザＩ／Ｆを提供する。
【００１１】
図２はカラー１ドラムプリンタエンジンとスキャナエンジンの外観図である。８０１は原稿を光学的に読み取る部分まで搬送するための原稿給送装置であり、８０２は光学読み取り装置である。８０５は原稿台ガラスである。該原稿給送装置は該光学読み取り装置と同期して駆動され、該給送装置８０１によって原稿画像が該原稿台ガラス上に移送されると、該光学読み取り装置は図の左右方向に移動しながら画像を走査し、適当な光学処理を加えた反射光を光電変換部８０４に送る。８０３はプリンタ本体である。
【００１２】
次に、プリンタコントローラが制御するプリンタの詳細について図４を用いて説明する。図４はプリンタを前面から見た図である。４０１は、スキャナであり、プリンタコントローラから送られてきた画像信号を受け取り、レーザー光に変換したのち、４０２で示す感光体に照射し、感光体上に画像を形成する。感光体は反時計回りに回転しながら、４０３の色現像器や４０４の黒現像器に到達する。４０３、４０４の現像器は感光体上に帯電された電荷に応じてトナーを感光体上にのせる（現像させる）働きをする。画像が白黒の時は、４０４の現像器のみが動作し、カラーの時は、４０３と４０４の両方の現像器が使用される。次に、感光体に生成された画像は、４０５の時計回りに回転している中間転写体に転写される。この中間転写体は、白黒の場合は１回転、カラーの場合は４回転して画像生成を中間転写体上に完了する。従来の技術で説明したページ形成モードの指定が１ページモードの場合には、この転写体上に１枚の画像が形成され、２ページモードを指定した場合には、２枚の画像が形成されることになる。
【００１３】
一方で、４０８の上段カセット、あるいは４０９の下段カセットから４１１あるいは４１２のピックアップローラで給紙された記録紙が、４１３あるいは４１４の給紙ローラに従って搬送され、４１５の搬送ローラでさらにレジ前まで搬送されていく。
【００１４】
そして、前述した中間転写体で画像形成が終了するタイミングで４０５の中間転写体と４０６の転写ベルトの間にくるようなタイミングに制御されている。ここに記録紙が到達したところで、転写ベルトが中間転写体に接して、トナーが記録紙に転写される。記録紙に転写された画像は、４０７の定着ローラで、熱と加圧により記録紙に定着される。
【００１５】
画像が定着された記録紙は、プリンタコントローラによりあらかじめ指定されていた４１７で示すフェイスアップ排紙口か４１８で示すフェイスダウン排紙口のいずれかに搬送され、排紙される。以上で、プリンタコントローラから送られてきた画像情報を出力することができる。
【００１６】
＜制御装置の説明＞
制御装置１１０の機能を、図３に示すブロック図をもとに説明する。
【００１７】
メインコントローラ１１１は、主にＣＰＵ１１２と、バスコントローラ１１３、各種Ｉ／Ｆコントローラ回路とから構成される。
【００１８】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００１９】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００２０】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００２１】
Ｇｒａｐｈｉｃ  Ｐｒｏｃｅｓｓｏｒ１３５は、ＤＲＡＭ１１６に蓄積されたラスターイメージデータに対して、画像回転、画像変倍、色空間変換、二値化の処理をそれぞれ行う。ＳＲＡＭ１３６はＧｒａｐｈｉｃ  Ｐｒｏｃｅｓｓｏｒ１３５の一時的なワーク領域として使用される。Ｇｒａｐｈｉｃ  Ｐｒｏｃｅｓｓｏｒ１３５はＩ／Ｆ１３７を介してメインコントローラ１１１と接続され、ＤＲＡＭ１１６との間のデータの転送は、バスコントローラ１１３によって制御されＤＭＡ転送される。
【００２２】
Ｎｅｔｗｏｒｋ  Ｃｏｎｔｏｒｌｌｅｒ１２１はＩ／Ｆ１２２によってメインコントローラ１１１と接続され、コネクタ１２２によって外部ネットワークと接続される。ネットワークとしては一般的にイーサネット（登録商標）があげられる。
【００２３】
汎用高速バス１２５には、拡張ボードを接続するための拡張コネクタ１２４とＩ／Ｏ制御部１２６とが接続される。汎用高速バスとしては、一般的にＰＣＩバスがあげられる。Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００２４】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００２５】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００２６】
リアルタイムクロックモジュール１３３は、機器内で管理する日付と時刻を更新／保存するためのもので、バックアップ電池１３４によってバックアップされている。
【００２７】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込む動作を行う。コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００２８】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。スキャナバス１４１からＤＲＡＭ１１６へのデータ転送は、バスコントローラ１１３によって制御される。
【００２９】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００３０】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。本発明の制御方法は、このＩ／Ｆを介してコントローラ部とプリンタ部のやり取りに関するものである。
【００３１】
ＳＲＡＭ１５１は、バックアップ用電池から供給される電源により、装置全体が電源遮断されても記憶内容を保持できる構成となっているメモリであり、１５０のバスを介してＩ／Ｏ制御部と接続されている。ＥＥＰＲＯＭ１５２も同様に１５０のバスを介してＩ／Ｏ制御部と接続されているメモリである。
【００３２】
次に図３の１４５のプリンタＩ／Ｆでやり取りされる制御方法の詳細、１ページの画像出力をする際の基本的なシーケンスについてシーケンス図５を用いて説明する。コントローラ部は、コントローラ内部で出力すべき画像が準備可能になると、プリンタ部に対して、５０１で示すようにプリンタ始動指示を行う。これを受けたプリンタ部は紙搬送の為のモータの始動や、ドラム回転など、通常印字状態へ移行するための準備を開始する。この準備が完了すると、プリンタ部は、コントローラ部に対して、５０２のプリンタ始動開始通知で、プリンタが印字可能状態になったことを通知する。これを受けたコントローラは、５０３で給紙指示を発行する。プリンタ部はこれを受けると指定された給紙段から図４の４１１や４１２のピックアップローラを回転させて給紙動作を開始するとともに、正常に給紙動作が行われたことをコントローラに対して５０４の給紙動作通知で通知する。次にコントローラは５０５の画像転送指示をプリンタ部に発行し、これを受けたプリンタ部は、図４の４０１のスキャナユニットから画像が感光ドラムに照射し、画像形成を開始する。そして５０６で画像転送が正常に開始されたことをコントローラに対して通知する。その後画像形成された用紙は、紙搬送路を通過した後、機外に排紙される時に、５０７でプリンタ部からコントローラに対して、排紙完了通知で通知される。この用紙が最終のページである場合には、コントローラから５０８のプリンタ停止指示を発行し、プリンタ部は、通常印字状態から、後回転状態へと移行し、後処理が終了したのち停止する。
【００３３】
次に、図６および図７を用いて複数ページの画像出力について２枚貼りでの動作を含めて説明する。ページ毎のやり取りが明確になるように図示する。
【００３４】
コントローラ部とプリンタ部間のやり取りのイベントに関しては基本的に前述したとおりである。図６は４ページの画像出力に対して、１ページ目と２ページ目が２枚貼り、３ページ目と４ページ目が２枚貼りを行うようなシーケンスを示している。図中の大きな矢印は実際に画像がコントローラ部からプリンタ部へ転送されていることを示している。７０１で１ページ目の画像転送指示が発行され、その後に１ページ目の画像転送開始通知（イエロー用）が通知される。コントローラは、イエロー用の各種設定を行い、実際にイエローの画像がプリンタ部へと転送される。その後、２ページ目の画像転送指示がコントローラ部からプリンタ部へと発行される。通常連続動作を行っている場合は、コントローラ内部で、この２ページ目の画像転送指示が遅れることはない。従ってプリンタ部では２枚貼りモードで動作する条件に合致しているため、１ページ目と２ページ目は２枚貼りモードで動作することになる。
【００３５】
図７は、３ページの画像出力に対して、１ページ目が１枚貼り、２ページ目と３ページ目が２枚貼りを行うようなシーケンスを示している。
【００３６】
コントローラ部が画像転送準備が完了した時点で、８０１によりプリンタ部へ画像転送指示を発行する。２ページ目の給紙動作通知もコントローラ部に対して返答されてきているので、コントローラ側の２ページ目の画像転送準備が完了していれば、直ぐに２ページ目の画像転送指示をプリンタ部へ発行することができるが、コピーでの出力やＰＤＬの出力で開始直後では２ページ目の画像転送準備が間に合わないため、画像転送指示が遅れることになる。
【００３７】
少し遅れて指示された２ページ目の画像転送指示については、３ページ目の画像転送指示が遅れずにプリンタ部へ通知されれば、２ページ目と３ページ目が２枚貼りとして動作する。
【００３８】
次に、図１０、図１１を用いて、ＰＤＬ画像出力時のシーケンスについて説明する。
【００３９】
図１０は、本実施例におけるＰＤＬ画像出力の手順を示すフローチャートである。なお、図中のＳ３００１〜Ｓ３０１０は各ステップを示す。
【００４０】
ＰＤＬ画像を出力する場合、Ｓ３００１では、ＰＣ４０１上でユーザが当該ＰＤＬ画像出力ジョブのプリント設定を行う。プリント設定内容は、出力ページ、部数、用紙サイズ、片面／両面、ページ出力順序、ソート出力、ステイプル止めの有無等である。
【００４１】
Ｓ３００２では、ＰＣ４０１上にインストールされているドライバソフトウェアがＳ３００１で設定したプリント設定パラメータの出力ページ、部数から出力枚数を算出し、最初から２枚貼りを行うかの設定を行う。図８、図９にあるように、偶数枚の時には最初から２枚貼りしたほうが全体のパフォーマンスがあがり、また、奇数枚の時には最初から２枚貼りにせず、１枚目の画像転送準備が終了したらすぐに１枚貼りで出力したほうがよい。また、ファーストコピータイムも短くてすむ。偶数枚数であれば、２枚貼りの設定を行う。
【００４２】
Ｓ３００３では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換して、Ｓ３００１で設定したプリント設定パラメータおよびＳ３００２で行った２枚貼り判断とともに、本画像入出力装置の制御装置１１０に、ネットワーク４００を介してＰＤＬデータを転送する。
【００４３】
Ｓ３００４では、制御装置１１０のメインコントローラ１１１のＣＰＵ１１２が、コネクタ１２２およびＮｅｔｗｏｒｋＣｏｎｔｒｏｌｌｅｒ１２１を介して転送されたＰＤＬデータを前記プリント設定パラメータに基づいて、画像データに展開（ラスタライズ）する。画像データの展開は、ＤＲＡＭ１１６上に行われる。画像データの展開が完了するとＳ３００５へ進む。
【００４４】
Ｓ３００５では、メインコントローラ１１１がＤＲＡＭ１１６上に展開された画像データを、Ｇｒａｐｈｉｃ  Ｐｒｏｃｅｓｓｏｒ１３５に転送する。
【００４５】
Ｓ３００６では、Ｇｒａｐｈｉｃ  Ｐｒｏｃｅｓｓｏｒ１３５が、前記プリント設定パラメータとは独立に、画像処理を行う。例えば、前記プリント設定パラメータで指定された用紙サイズがＡ４であるにもかかわらず、プリンタ部３００の給紙ユニット３６０にはＡ４Ｒ用紙しかない場合には、Ｇｒａｐｈｉｃ  Ｐｒｏｃｅｓｓｏｒ１３５で画像を９０度回転することによって、出力用紙にあわせた画像出力を行うことができる。画像データの画像処理が完了するとＳ３００７へ進む。
【００４６】
Ｓ３００７では、Ｇｒａｐｈｉｃ  Ｐｒｏｃｅｓｓｏｒ１３５がメインコントローラ１１１へ画像処理後の画像データを転送する。メインコントローラ１１１は転送されてきた画像データをＤＲＡＭ１１６上に記憶する。
【００４７】
画像処理が終了し、画像転送準備が終了するとメインコントローラ１１１はプリンタＩ／Ｆ１４５およびコネクタ１４７を介して、プリンタ部３００を前述制御方法で制御しつつ、ＤＲＡＭ１１６上の画像データを、プリンタ部３００へと転送することになるが、転送する前にＳ３００８の工程を行う。
【００４８】
Ｓ３００８では、２枚貼り判断を行う。詳細については図１１を用いて説明する。図１１は２枚貼り判断の手順を示すフローチャートである。Ｓ４００１〜Ｓ４００６は各ステップを表す。
【００４９】
Ｓ４００１では、紙サイズのチェックを行う。紙サイズが２枚貼り可能なサイズ、つまりドラムの外周に対して１ページのサイズが半分以下のサイズの場合（ここではスモールサイズと呼ぶ）、Ｓ４００２に進む。２枚貼り不可能なサイズ（ラージサイズと呼ぶ）の時はＳ４００６に進む。Ｓ４００２ではカラーモードチェックを行う。白黒のプリントの場合、１色なので２枚貼りにする必要がない。そのため、カラー指定の時に２枚貼り可能と判断し、Ｓ４００３に進む。白黒指定の時はＳ４００６に進む。Ｓ４００３ではＳ３００２で設定されたＰＤＬデータの２枚貼り通知のチェックを行う。２枚貼りの通知がされているときはＳ４００４へ進み、されていないときにはＳ４００５に進む。Ｓ４００４では最初から２枚貼りを行うため、２つの画像転送準備が終了してから、それぞれプリンタ部３００に給紙指示を行う。このような処理を行うことにより、プリンタ部３００は最初から２枚貼りを実行することとなる。Ｓ４００５では２枚貼りを意識せず、１つの画像転送準備が終了するたびに、プリンタ部３００に給紙指示を行う。このような処理を行うことにより、Ｓ４００５では最初に１枚貼りとなり、それ以降は画像転送準備の間隔とプリント時間の間隔により、プリンタ部３００は給紙指示の間隔に応じて、１枚貼り、２枚貼りを行う。Ｓ４００６では２枚貼りしない場合なのですべて１枚貼りで出力を行う。
【００５０】
Ｓ３００９では、Ｓ４００４、Ｓ４００５、Ｓ４００６のおのおのの制御方法でメインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００５１】
Ｓ３０１０では、制御装置１１０が、プリンタ部３００を制御して画像データをプリント出力する。画像データの転送が完了すると、すなわち当該ＰＤＬジョブが終了すると、プリント出力を終了する。
【図面の簡単な説明】
【００５２】
【図１】本システムの全体構成を示すブロック図である。
【図２】本装置のリーダー部及びプリンタ部の外観図である。
【図３】本装置の制御装置部のブロック図である。
【図４】本装置のプリンタ部詳細図である。
【図５】基本プリントシーケンス図である。
【図６】１枚貼り／２枚貼り切り替えの説明図である。
【図７】１枚貼り／２枚貼り切り替えの説明図である。
【図８】１枚貼り／２枚貼りでの出力状況の説明図である。
【図９】１枚貼り／２枚貼りでの出力状況の説明図である。
【図１０】ＰＤＬ画像出力時のフローチャートである。
【図１１】２枚貼り判断のフローチャートである。
【符号の説明】
【００５３】
１１０  制御装置（コントローラ）
１５０  操作部
１６０  ＣＤ−ＲＯＭ
２００  リーダー部
２１０  スキャナユニット
２５０  原稿給紙ユニット
３００  プリンタ部
３１０  マーキングユニット
３６０  給紙ユニット
３７０  排紙ユニット
４００  ネットワーク
４０１  ホストコンピュータ
４０２  ホストコンピュータ
【図１】
2006195723.tif 000003
【図２】
2006195723.tif 000004
【図３】
2006195723.tif 000005
【図４】
2006195723.tif 000006
【図５】
2006195723.tif 000007
【図８】
2006195723.tif 000008
【図９】
2006195723.tif 000009
【図１０】
2006195723.tif 000010
【図１１】
2006195723.tif 000011
【図６】
2006195723.tif 000012
【図７】
2006195723.tif 000013